(57)【要約】      （修正有）【課題】内容物放出口の位置が放出操作にともなって移動しないポンプ式容器の内容物放出機構に関し、操作性および利便性の向上とともに、当該機構を備えた製品ごとのバラツキを抑えて放出動作の精度の向上を図る。【解決手段】放出口（孔部１３ａ）を内容物が横方向（ポンプ式容器の上下方向と略直交する方向）に放出される態様とし、操作部（操作ボタン１）を内容物放の出方向とは逆の横方向後側に押圧される態様とした。また、放出モード設定操作中の放出モードから放出終了モードへ移行するときに、第１のスカート部（後スカート部２ｂ）が移行用孔部（孔部３ｃ）まで進み、かつ同時に第２のスカート部（前スカート部２ａ）が解除作動部（突状部３ｅ）に当接する態様としているので、中間収納域Ｄと容器の内部空間とが連通して蓄圧式の吐出弁（環状縁部９ａ，環状テーパ面１０ａ）へ作用する内容物の圧力が下がり、吐出弁は閉状態になる。【選択図】図３
2009269658.tif 000002
【特許請求の範囲】
【請求項１】
ポンプ式容器に収納された内容物を放出口から外部空間に放出するための操作対象である操作部と、
前記操作部と連動するピストンと、
前記ピストンの移動に応じて作動する吸込弁と、
前記ピストンのシール作用部分を案内し、かつ、前記吐出弁が開状態となる放出モードから当該吐出弁が閉状態に復帰した放出終了モードへの移行用孔部を周面部分に形成したシリンダと、
前記吸込弁から前記移行用孔部にいたる第１の通路部と、
前記移行用孔部から前記放出口にいたる第２の通路部と、
前記第２の通路部に設けられた吐出弁と、
前記ポンプ式容器の開口部キャップと一体化されて、前記放出口を、前記操作部の作動時にも移動しない態様で設定するための放出口設定用部材と、を備え、
前記操作部とともに前記ピストンのシール作用部分が、その静止モード位置から、放出モード位置を経て前記移行用孔部まで進むことにより、前記第２の通路部が前記第１の通路部以外の容器内部に通じる空間域とも連通して前記吐出弁へ作用する内容物の圧力が下がり、その結果それまでの放出モードから放出終了モードに移行し、
前記放出口は、内容物が横方向に放出される態様のものであり、
前記操作部は、内容物放出方向とは逆の横方向後側に押圧される態様のものである、
ことを特徴とするポンプ式容器の内容物放出機構。
【請求項２】
前記第１の通路部は、
前記吸込弁から続く上流側通路部分と前記移行用孔部にいたる中間通路部分とを備え、
前記第２の通路部は、
前記中間通路部分と、前記放出口にいたる下流側通路部分とを備え、
前記ピストンは、
前記シール作用部分としての第１のスカート部と、当該スカート部とは別で前記シリンダに案内されてシール作用呈する第２のスカート部とを、前後方向の隔てた部分に備え、
前記シリンダは、
前記第１のスカート部および前記第２のスカート部を案内する内周面に、当該第２のスカート部のシール作用を解除するための解除作動部を、静止モードにおける当該第１，第２のスカート部の間に位置する態様で備え、
前記第１のスカート部が前記移行用孔部まで進んだときに前記第２のスカート部が前記解除作動部に当接して当該第２のスカート部のシール作用が解除されることにより、前記中間通路部分が容器内部と連通する、
ことを特徴とする請求項１記載のポンプ式容器の内容物放出機構。
【請求項３】
請求項１または２記載の内容物放出機構を備え、かつ、内容物を収容した、
ことを特徴とするポンプ式製品。
【発明の詳細な説明】
【技術分野】
【０００１】
本発明は、ポンプ式容器の内容物放出機構に関し、特に内容物が横方向に放出される固定タイプの放出口（＝操作部の作動時にも移動しない態様の放出口）および、内容物放出方向とは逆の横方向に押圧される態様の操作部を備えた内容物放出機構に関する。
【０００２】
また、内容物の放出モードへの設定操作にともない操作部が所定ストロークだけ移動したときには、吐出弁がそれまでの開状態（＝放出モード）から閉状態（＝放出終了モード）へと確実に切り換わる機構とすることにより、ポンプ式製品の放出モードの設定操作時に内容物放出口の位置が操作部に応じて動くのを防ぐとともに、内容物の放出開始動作および放出終了動作をいわばシャープにしたものである。
【０００３】
本発明の内容物放出機構は、点鼻薬剤をはじめとする後述の各種内容物のポンプ機構として用いられる。
【０００４】
なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【０００５】
また、「横方向」とはポンプ式容器の上下方向と略直交する方向のことであり、容器内容物の放出口（孔部）の側を「前」とし、それと反対側を「後」としている。すなわち図１〜図４の左側方向が「前」で、右側方向が「後」となる。
【背景技術】
【０００６】
従来、ポンプ式容器に収納された内容物の放出口を操作部とは別の固定部材に設けた内容物放出機構としては、下記の特許文献１で開示のものがある。なお、以下の[  ]付きの番号はそれぞれ当該特許文献での参照番号を示している。
【０００７】
ここでは押圧体[15]，シール体[14]および大ピストン[23]が一体化しており、操作部である押圧体を利用者が押し下げると大ピストンも下方向に移動する。
【０００８】
その結果、大ピストン[23]と、これに対して相対移動可能な小ピストン[22]の透孔[22c1]を塞いでいる吸込弁としての弾性体チューブ[22e]と、の間の空間[B]内の薬液の圧力が上昇する。
【０００９】
この押圧体[15]の押下げ操作を何回かやって空間[B]内の薬液圧力が所定値まで上がると、その圧力によって小ピストン[22]が押下げられて、両ピストンの接触部分（吐出弁）である円錐形段部[23c1]などが離間する。これにより空間[B]内の薬液は、当該離間部分，軸孔[23c]，空間[D]を経てノズル[16]のノズル孔[16a1]から患部に噴射される。
【００１０】
なおノズル[16]は、容器本体[11]と一体のアダプタ[13]に固定されており、押圧体[15]の押下げ操作時にも移動することはない。
【００１１】
以上のポンプ式容器の内容物放出機構は、そのノズル孔[16a1]を備えたノズル[16]が押圧体[15]から独立した別部材であって、当該押圧体の操作時にも当該ノズルが下動しない構成となっており、この点では使い勝手のよいものである。
【００１２】
その一方で、押圧体[15]と連動する大ピストン[23]の他にこれと相対的に上下動可能な小ピストン[22]を設けて、これらピストン間の接触・離間により吐出弁の作用を呈している。また、吸込弁として作用するのは、小ピストン[22]の透孔[22c1]とこれを塞いでいる弾性体チューブ[22e]である。
【００１３】
そして、放出モードにおける上記吐出弁は、空間[B]内の薬液がノズル孔[16a1]から噴射されて当該空間内部の薬液の圧力がいわば徐々に減少して閾値以下になった段階で閉じ、放出終了モードへと移行する。すなわち、当該空間内部の薬液圧力の減少にともない、小ピストン[22]が上方に復帰して大ピストン[23]の軸孔[23c]を閉じるので、薬液は噴射されなくなる。
【００１４】
上記内容物放出機構は、このように吸込弁だけでなく吐出弁までも上下方向の上流側通路部に設けた大ピストン[23]およびピストン[22]などにより形成している、すなわち当該上流側通路部に続くノズル孔[16a1]までの下流側通路部には弁部材は存在しないため、全体の構造が複雑化してしまい、薬液の流れもスムーズではないという点で改善の余地があった。
【００１５】
また、放出モードにおける空間[B]内の薬液圧力が徐々に減少する態様のため、薬液の噴射終了動作（放出モードから放出終了モードへの移行動作）のシャープさにかけるという点で改善の余地があった。
【００１６】
これらの点を解決したポンプ式容器の内容物放出機構として、本件出願人は下記の特許文献２のものを提案済みである。
【特許文献１】特許第３１７７６９５号公報
【特許文献２】国際公開第２００７／０８６１５６号パンフレット
【発明の開示】
【発明が解決しようとする課題】
【００１７】
ただ、この特許文献２においては、利用者が容器を手に持った状態での操作性に優れて利便性の高い、内容物が横方向に放出され、かつ操作部が後側（横方向）へ横押しされるタイプの内容物放出機構を利用するまでの考えにいたっていない。
【００１８】
本発明は、上記特許文献２の内容物放出機構の利点を備えるとともに、内容物の横方向への放出動作および操作部の横方向後側への移動による放出モード設定操作を行えるようにして、ポンプ式容器の内容物放出機構のより優れた操作性および利便性を確保することを目的とする。
【００１９】
なお、上記特許文献２の内容物放出機構の利点は、
(a)内容物の吐出弁を、操作部と連動するピストンと吸込弁との間に形成される上流側通路部ではなく、これと連通して、（操作部と連動することのない）固定タイプの内容物放出口へと進む下流側通路部に設けているので、ポンプ構造のシンプル化や内容物の流れのスムーズ化を図ることができ、
(b)吐出弁を蓄圧式のものとし、さらには利用者が操作部を所定ストロークだけ移動させた段階での当該吐出弁に対する内容物圧力の急減により（それまでの操作部の移動により放出モードの開状態となっていた）当該吐出弁がいわば瞬時に閉じるようにしているので、内容物の放出開始および放出終了の各動作自体のシャープ化を図る、すなわち当該各動作のいわゆる「きれ」をよくすることができ、
(c)操作部およびこれと一体のピストンを静止モード位置に付勢するための第１の弾性部材や吐出弁を閉状態に付勢するための第２の弾性部材を内容物の通路部の外側に配し、さらには吸込弁を合成樹脂製のものとしているので、内容物放出機構の構成要素である金属部分が内容物と接触する機会をなくして、当該接触にともなう内容物の性状変化や機構自体の性能劣化などの抑止を図ることができる、
などの点である。
【課題を解決するための手段】
【００２０】
本発明は、以上の課題を次のようにして解決する。
（１）ポンプ式容器に収納された内容物を放出口（例えば後述の孔部１３ａ）から外部空間に放出するための操作対象である操作部（例えば後述の操作ボタン１）と、
前記操作部と連動するピストン（例えば後述の鞘状ピストン２）と、
前記ピストンの移動に応じて作動する吸込弁（例えば後述の環状テーパ面１５ｃ，スプリング付き弁１６）と、
前記ピストンのシール作用部分（例えば後述の後スカート部２ｂ）を案内し、かつ、前記吐出弁が開状態となる放出モードから当該吐出弁が閉状態に復帰した放出終了モードへの移行用孔部（例えば後述の孔部３ｃ）を周面部分に形成したシリンダ（例えば後述の内側筒状部３ｄ）と、
前記吸込弁から前記移行用孔部にいたる第１の通路部（例えば後述の上流側通路域Ａ，中間通路域Ｂ）と、
前記移行用孔部から前記放出口にいたる第２の通路部（例えば後述の中間通路域Ｂ，下流側通路域Ｃ）と、
前記第２の通路部に設けられた吐出弁（例えば後述の環状縁部９ａ，環状テーパ面１０ａ）と、
前記ポンプ式容器の開口部キャップ（例えば後述のネジキャップ３）と一体化されて、前記放出口を、前記操作部の作動時にも移動しない態様で設定するための放出口設定用部材（例えば後述の通路用連結部８，ノズル状ピース９，出力側ピース１３）と、を備え、
前記操作部とともに前記ピストンのシール作用部分が、その静止モード位置から、放出モード位置を経て前記移行用孔部まで進むことにより、前記第２の通路部が前記第１の通路部以外の容器内部に通じる空間域とも連通して前記吐出弁へ作用する圧力が下がり、その結果それまでの放出モードから放出終了モードに移行し、
前記放出口は、内容物が横方向に放出される態様のものであり、
前記操作部は、内容物放出方向とは逆の横方向後側に押圧される態様のものである、
形のポンプ式容器の内容物放出機構を用いる。
（２）上記（１）において、
前記第１の通路部は、
前記吸込弁から続く上流側通路部分（例えば後述の上流側通路域Ａ）と前記移行用孔部にいたる中間通路部分（例えば後述の中間通路域Ｂ）とを備え、
前記第２の通路部は、
前記中間通路部分と、前記放出口にいたる下流側通路部分（例えば後述の下流側通路域Ｃ）とを備え、
前記ピストンは、
前記シール作用部分としての第１のスカート部（例えば後述の後スカート部２ｂ）と、当該スカート部とは別で前記シリンダに案内されてシール作用呈する第２のスカート部（例えば後述の前スカート部２ａ）とを、前後方向の隔てた部分に備え、
前記シリンダは、
前記第１のスカート部および前記第２のスカート部を案内する内周面に、当該第２のスカート部のシール作用を解除するための解除作動部（例えば後述の突状部３ｅ）を、静止モードにおける当該第１，第２のスカート部の間に位置する態様で備え、
前記第１のスカート部が前記移行用孔部まで進んだときに前記第２のスカート部が前記解除作動部に当接して当該第２のスカート部のシール作用が解除されることにより、前記中間通路部分が容器内部と連通する、
形のものを用いる。
【００２１】
本発明は、以上の特徴を持つ内容物放出機構を対象とするとともに、この内容物放出機構を備えたポンプ式製品も対象にしている。
【発明の効果】
【００２２】
本発明は、このように上記(a)〜(c)の利点を備えるとともに、内容物の横方向への放出動作および操作部の横方向後側への移動による放出モード設定操作を行えるようにしているので、ポンプ式容器の内容物放出機構のより優れた操作性および利便性を確保することができる。
【００２３】
また、放出モード設定操作にともなって放出モードから放出終了モードへ移行するタイミングを、操作部と一体のピストンに形成された第１，第２のスカート部のそれぞれが所定箇所まで移動する時点、すなわち第１のスカート部が放出終了モードへの移行用孔部まで進み、かつ第２のスカート部がそのシール作用の解除作動部に当接する時点に設定している。そのため、放出モードから放出終了モードへの移行時点のポンプ式製品間におけるバラツキを少なくすることができる。
【発明を実施するための最良の形態】
【００２４】
図１乃至図４を用いて本発明を実施するための最良の形態を説明する。
【００２５】
これらの図において、
図１は内容物放出機構の静止モードを示し、
図２は図１の内容物放出機構の放出モード（内容物噴射中）を示し、
図３は図２に続く放出終了モードを示し、
図４は図３に続く（放出モード設定操作解除後の）復帰モードを示している。
【００２６】
なお、以下のアルファベット付き参照番号が示す構成要素（例えば外側環状底面部分１ａ）はアルファベットなしの参照番号の構成要素（例えば操作ボタン１）の一部であることを示している。
【００２７】
図１〜図４において、
１は横方向へ移動する鞘状の操作ボタン，
１ａは後述のコイルスプリング７を受ける外側環状底面部分，
２は操作ボタン１と嵌合して一体化された鞘状ピストン，
２ａは後述の内側筒状部３ｄの内周面に当接して放出モードの終了段階で一部が当該内周面から離間（図３参照）する前スカート部，
２ｂは後述の内側筒状部３ｄの内周面に当接して内容物の中間収納域Ｄの画定作用（シール作用）を呈する後スカート部，
２ｃは鞘状ピストン２の外周面に例えば複数箇所（１箇所でもよい）形成され、放出モードの終了段階で後述の環状ラバー６の前端部分をまたいで当該ラバーの内外の空間域を連通させる位置まで移動して外気を容器内部へ流入させる（図３参照）ためのスリット，
３は後述の容器本体１８の開口側筒状部に螺合したネジキャップ，
３ａは上流側通路域Ａの一部を構成する縦方向の内側筒状部，
３ｂは内容物がいわば双方向に流れる中間通路域Ｂの一部を後述の通路用連結部８（内側筒状部８ｂ）との間に設定する縦方向の外側筒状部，
３ｃは中間通路域Ｂおよび中間収納域Ｄの連通用の孔部，
３ｄは鞘状ピストン２の前スカート部２ａおよび後スカート部２ｂと密接して当該各スカート部に対する案内機能を備えた横方向の内側筒状部，
３ｅは当該内側筒状部の内周面の周方向に例えば１個（複数個でもよい）形成され、少なくとも噴射終了段階では前スカート部２ａの一部が乗り上げて下流側通路域Ｃおよび中間通路域Ｂと容器本体内部とを連通させるための突状部（図３参照），
３ｆは後述のピストン規制部４の外周面部分と嵌合する内周面を備えた横方向の外側筒状部，
３ｇは噴射終了時に下流側通路域Ｃや中間通路域Ｂなどの内容物を容器内部へ流入させ、また、外気を容器内部へ流入させるための流入用孔部（図３参照），
３ｈは内側筒状部３ｄの前端側部分に飛び飛びに形成されて内容物や外気の当該流入用孔部への通過域として作動する切欠状部，
４はネジキャップ３の外側筒状部３ｆの内周面に嵌合して鞘状ピストン２の静止モード位置を規制し、容器内部への、負圧防止用の外気流入路や噴射終了時の内容物流入路を形成する筒状のピストン規制部，
４ａは静止モードにおいて鞘状ピストン２の前スカート部２ａの内周面と密接するシール作用面，
５はピストン規制部４の外周面の前側部分に嵌合して後述のコイルスプリング７を受ける筒状の受け部，
６は外端側鍔部分がピストン規制部４と受け部５との間に挟持されて内端部分が鞘状ピストン２の外周面に当接する環状ラバー，
７は操作ボタン１と受け部５との間に設定されて当該操作ボタンおよび鞘状ピストン２を静止モード位置方向（＝図示左方向）に付勢するコイルスプリング，
８はネジキャップ３の外側筒状部３ｂの外周面に嵌合して内容物の上流側通路域Ａの一部を設定する通路用連結部，
８ａは当該一部通路域を構成する断面Ｌ字状の貫通部分，
８ｂは当該貫通部分の一部（前半部分）を画定する縦方向の内側筒状部，
８ｃは当該内側筒状部の直ぐ外に形成されてネジキャップ３の外側筒状部３ｂと嵌合する縦方向の外側筒状部，
８ｄは貫通部分８ａの一部（後半部分）を画定する横方向の内側筒状部，
８ｅは当該内側筒状部の前端側周面に形成された内容物通過用の切欠状部，
８ｆは内側筒状部８ｂの直ぐ外に形成されてその内周面に後述のピストン１０の後スカート部１０ｃが密接する横方向の中間筒状部，
８ｇは当該中間筒状部の外に形成されて後述のノズル状ピース９が嵌合する横方向の外側筒状部，
９は当該外側筒状部に嵌合して吐出弁の構成要素として作用を呈するノズル状ピース，
９ａは当該ノズル状ピースの内面部分であって後述のピストン１０の環状テーパ面１０ａとともに蓄圧式の吐出弁を構成する環状縁部，
１０はノズル状ピース９の内部に配されて吐出弁機能を持つピストン，
１０ａは当該ピストンの周面部分であって環状縁部９ａとともに蓄圧式の吐出弁を構成する環状テーパ面，
１０ｂはノズル状ピース９の内周面に密接した前スカート部，
１０ｃは通路用連結部８の中間筒状部８ｆの内周面に密接した後スカート部，
１０ｄは下流側通路域Ｃを構成する貫通部分，
１１は通路用連結部８の中間筒状部８ｆと外側筒状部８ｇとの間の環凹状部分に設けられて後述のコイルスプリング１２を受ける筒状の受け部，
１２はピストン１０と受け部１１との間に設定されて当該ピストンを静止モード位置方向（＝図示左方向）に付勢するコイルスプリング，
１３はノズル状ピース９の前端側凹状部に嵌合して内容物放出部として作用する出力側ピース，
１３ａは内容物出力用の孔部，
１３ｂは当該孔部へと続く凹状部分に形成されてそれぞれの間が内容物通路域として作用する複数のリブ状部，
１４は出力側ピース１３のリブ状部１３ｂに保持されて吐出弁から孔部１３ａまでの内容物通路域を設定する鞘状の中間ピース，
１５はネジキャップ３の下側開口域内部の上端側部分に保持された筒状のハウジング，
１５ａは当該保持の対象となる環状鍔部，
１５ｂはネジキャップ３の流入用孔部３ｇに続く部分であって負圧防止用の外気や噴射終了時の通路域内容物が容器内部に流入するための縦方向の溝状貫通部，
１５ｃは後述のスプリング付き弁１６を受ける環状テーパ面，
１５ｄは当該環状テーパ面の直下方に形成された内容物流入用の孔部，
１６はハウジング１５の上側空間域に保持された吸込弁としてのスプリング付き弁，
１７はハウジング１５の下側空間域に保持された内容物吸込用のチューブ，
１８は内容物を収納した容器本体，
１８ａは開口側筒状部の上端部分，
１９はハウジング１５の環状鍔部１５ａと容器本体１８の上端部分１８ａとの間に挟持されて容器内外のシール作用を呈する環状ラバー，
をそれぞれ示している。
【００２８】
また、内容物の通路域などとして、
Ａはチューブ１７から内容物流入用の孔部１５ｄを経てハウジング内部空間域，ネジキャップ３の内側筒状部３ａおよび通路用連結部８の内側筒状部８ｂ，８ｄなどにいたる上流側通路域，
Ｂは通路用連結部８の内側筒状部８ｄと中間筒状部８ｆとの間および通路用連結部８の内側筒状部８ｂとネジキャップ３の外側筒状部３ｂとの間などからなる中間通路域，
Ｃはピストン１０の貫通部分１０ｄおよび吐出弁作用域などを経て出力側ピース１３の孔部１３ａにいたる下流側通路域，
Ｄは鞘状ピストン２の後スカート部２ｂとネジキャップ３の内側筒状部３ａ，３ｄなどによって画定される内部空間であって、中間通路域Ｂを介する形で内容物が流入出する中間収納域，
をそれぞれ示している。
【００２９】
以上の各構成要素の中、金属製のコイルスプリング７，１２以外のものはナイロン，ポリアセタール，ポリエチレン，ポリプロピレン，ポリエチレンテレフタレート，ポリブエチレンテレフタレート，ＮＢＲ，ネオプレン，ブチルゴムなどからなる合成樹脂製要素である。
【００３０】
図２〜図４において、概略、
(11)図２の矢印方向は、外部空間へ放出される内容物の流れ方向を示し、
(12)図３の実線矢印方向は、鞘状ピストン２の前スカート部２ａの先端部分がネジキャップ３（内側筒状部３ｄ）の突状部３ｅに乗り上げたときに生じる内容物の容器本体内部への流れ方向を示し、
(13)図３の点線矢印方向は、スリット２ｃが環状ラバー６の前端部分をまたぐ位置まで移動したときに生じる外気の容器本体内部への流れ方向を示し、
(14)図４の矢印方向は、操作ボタン１が前方に移動して静止モード位置に復帰するとき、すなわち吐出弁が閉じて吸込弁が開いた状態での、容器本体内部から中間収納域Ｄに流入する内容物の流れ方向を示している。
【００３１】
図１の静止モードでは、
(21)操作ボタン１および鞘状ピストン２がコイルスプリング７の作用により前方に移動して当該ピストンの前スカート部２ａがピストン規制部４のシール作用面４ａと密接した状態に保持され、
(22)吸込弁および吐出弁が閉じ、
(23)内容物が、（少なくともポンプ式製品を１回でも使用した後の）吸込弁から連通用の孔部１５ｄを経て吐出弁および中間収納域Ｄにいたるまでの各空間域（通路域など）に入っている。
【００３２】
図２の放出モード、すなわち操作ボタン１を後方に引いて鞘状ピストン２の前スカート部２ａがまだネジキャップ３（内側筒状部３ｄ）の突状部３ｅに乗り上げていない状態では、
(31)鞘状ピストン２の後方への移動操作に応じる形でピストン１０に作用する圧力が次第に高まり、
(32)ピストン１０の環状平面などで受ける図示右方向への全圧力が、当該ピストンに対するコイルスプリング１２などの図示左方向への駆動力より強くなった時点で、当該ピストンは図示右方向に移動し、
(33)この移動により、それまで密接していた吐出弁の、ノズル状ピース９の環状縁部９ａとピストン１０の環状テーパ面１０ａとが離間し（吸込弁の、スプリング付き弁１６とそれを受ける環状テーパ面１５ｃとは閉じたままである）、
(34)この吐出弁が「開」状態に移行することにより、それまで中間収納域Ｄなどに収納されていた内容物が中間通路域Ｂおよび下流側通路域Ｃを経て出力側ピース１３の孔部１３ａから外部空間に放出される。
【００３３】
図２の放出モードへの移行時、鞘状ピストン２が後方へ移動するのにともない当該ピストンの前スカート部２ａの図示左側の空間域（前スカート部２ａとネジキャップ３の内側筒状部３ｄ，ピストン規制部４などで画定される空間域）の容積が増加し、流入用孔部３ｇおよび溝状貫通部１５ｂを介して当該空間域と連通する容器本体１８の内部空間は負圧化していく。
【００３４】
図３の、鞘状ピストン２が図２よりも後方に移動して、当該ピストンの後スカート部２ｂの先端部分が連通用の孔部３ｃの位置まで移動し、かつ、前スカート部２ａの先端部分がネジキャップ３（内側筒状部３ｄ）の突状部３ｅに乗った状態の放出終了モードでは、
(41)上記(23)の各空間域が概略「前スカート部２ａの乗上げ周辺部分と内側筒状部３ｄとの隙間−ピストン２の外周面と内側筒状部３ｄの内周面との間の空間域−切欠状部３ｈ−内側筒状部３ｄの外周面とピストン規制部４の内周面との間の空間域−流入用孔部３ｇ−溝状貫通部１５ｂ」のルートにより容器本体１８の内部空間域と連通し、
(42)この連通により、上記(23)の各空間域における被収納内容物は容器本体１８の内部空間域に流入して、ピストン２の環状平面などが図示右方向に受ける圧力も低下し、
(43)その結果、ピストン２がコイルスプリング１２の弾性付勢力で図示左方向に復帰して、それまで開いていた吐出弁が確実に「閉」状態となる。
【００３５】
このように、利用者が静止モードの操作ボタン１を所定ストロークだけ引くことにより上記(41)の容器本体内部へのルートが確立されると、いわば瞬時に、それまでの内容物放出状態から放出終了モードに移行する。
【００３６】
また、図３の放出終了モードではスリット２ｃが環状ラバー６の前端部分をまたぐ位置まで移動するので、外部空間より外気が、概略「操作ボタン１と受け部５との間の空間域−鞘状ピストン２と受け部５との間の空間域−スリット２ｃ−鞘状ピストン２とピストン規制部４との間の空間域−切欠状部３ｈ−内側筒状部３ｄの外周面とピストン規制部４の内周面との間の空間域−流入用孔部３ｇ−溝状貫通部１５ｂ」を経て、容器本体１８の内部空間に流入する。その結果、当該内部空間の負圧化が解消される。
【００３７】
そして利用者が操作ボタン１の押圧操作（引き操作）を止める、すなわち操作ボタン１から指を離すと、当該操作ボタンおよび鞘状ピストン２はコイルスプリング７の弾性付勢力で静止モード位置に復帰する。
【００３８】
図４に示すように、この鞘状ピストン２の静止モード位置への復帰にともなって、
(51)当該ピストンの後スカート部２ｂの先端部分がネジキャップ３の孔部３ｃの位置から前進して内側筒状部３ｄの内周面部分まで移動し、
(52)この後スカート部２ｂの移動により、上記(41)の、中間通路域Ｂ，下流側通路域，中間収納域Ｄなどの各空間域と容器本体１８の内部空間との連通状態が解除され、
(53)当該解除後の当該各空間域の容積増加に応じる形で、それまで閉状態であった吸込弁（スプリング付き弁１６）が容器本体の内容物圧力を受けて上動し、吸込弁は「開」となる。なお、吐出弁は閉じたままである。
【００３９】
その結果、容器本体１２の内容物がチューブ１７および孔部１５ｄを経て上流側通路域Ａに流入し、弁１６に対して下方向にかかる当該通路域の内容物圧力および当該弁の自重が、弁１６に対して上方向にかかる容器本体側の内容物圧力を上回ったときに、当該弁はスプリングの作用で下方に移動して環状テーパ面１５ｃと当接する。すなわち吸込弁が閉じて図１の静止モードに復帰することになる。
【００４０】
また、スリット２ｃが前方位置に復帰移動して鞘状ピストン２の当該スリット以外の外周面部分と環状ラバー６とが密接するので、外部空間から容器本体１８の内部空間へ外気を流入させるための通路域は遮断され、当該通路行きを逆流して操作ボタン１と受け部５との間の隙間から内容物が漏れ出すことはない。
【００４１】
操作ボタン１（鞘状ピストン２）およびピストン１０の付勢部材としていわゆるアウタースプリングとしてのコイルスプリング７，１２を用いることより、放出対象である内容物が金属に触れる程度をできるだけ少なくし、金属接触にともなう内容物の変化などを防止している。
【００４２】
本願発明が図示の実施形態に限定されないことは勿論である。
例えば上流側通路域Ａに代えて、スプリング付き弁１６の直下流域（ハウジング１５の内部空間）から中間収納域Ｄへ通じる（孔部３ｃとは別の）孔部を、ネジキャップ３の内側筒状部３ａの対応部分に形成してもよい。
【００４３】
容器内容物の対象としては、液状，発泡性（泡状），ペースト状，ジェル状，粉状などの各種性状のものがある。
【００４４】
本発明が適用されるポンプ式製品としては、点鼻薬剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４５】
容器本体に収納する内容物に配合される成分としては例えば、粉状物，油成分，アルコール類，界面活性剤，高分子化合物，各用途に応じた有効成分，水などが挙げられる。
【００４６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４８】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５０】
高分子化合物としては、メチルセルロース，ゼラチン，デンプン，カゼイン，ヒドロキシエチルセルロース，キサンタンガム，カルボキシビニルポリマーなどを用いる。
【００５１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５２】
さらに、上記内容物以外の、懸濁剤，紫外線吸収剤，乳化剤，保湿剤，酸化防止剤、金属イオン封鎖剤なども用いることができる。
【図面の簡単な説明】
【００５３】
【図１】内容物放出機構の静止モードを示す説明図である。
【図２】図１の内容物放出機構の放出モードを示す説明図である。
【図３】図２に続く放出終了モードを示す説明図である。
【図４】図３に続く復帰モードを示す説明図である。
【符号の説明】
【００５４】
１：操作ボタン
１ａ：外側環状底面部分
２：鞘状ピストン
２ａ：前スカート部
２ｂ：後スカート部
２ｃ：スリット
３：ネジキャップ
３ａ：縦方向の内側筒状部
３ｂ：縦方向の外側筒状部
３ｃ：孔部
３ｄ：横方向の内側筒状部
３ｅ：突状部
３ｆ：横方向の外側筒状部
３ｇ：流入用孔部
３ｈ：切欠状部
４：ピストン規制部
４ａ：シール作用面
５：受け部
６：環状ラバー
７：コイルスプリング
８：通路用連結部
８ａ：貫通部分
８ｂ：縦方向の内側筒状部
８ｃ：縦方向の外側筒状部
８ｄ：横方向の内側筒状部
８ｅ：切欠状部
８ｆ：横方向の中間筒状部
８ｇ：横方向の外側筒状部
９：ノズル状ピース
９ａ：環状縁部
１０：ピストン
１０ａ：環状テーパ面
１０ｂ：前スカート部
１０ｃ：後スカート部
１０ｄ：貫通部分
１１：受け部
１２：コイルスプリング
１３：出力側ピース
１３ａ：孔部
１３ｂ：複数のリブ状部
１４：中間ピース
１５：ハウジング
１５ａ：環状鍔部
１５ｂ：溝状貫通部
１５ｃ：環状テーパ面
１５ｄ：孔部
１６：スプリング付き弁
１７：チューブ
１８：容器本体
１８ａ：開口側筒状部の上端部分
１９：環状ラバー
Ａ：上流側通路域
Ｂ：中間通路域
Ｃ：下流側通路域
Ｄ：中間収納域
【図１】
2009269658.tif 000003
【図２】
2009269658.tif 000004
【図３】
2009269658.tif 000005
【図４】
2009269658.tif 000006